(57)【要約】【課題】手間無く干すことができ、外部からも見られにくいかご状の乾燥器具において、内側にある対象物を乾燥しやすくすることを課題とする。【解決手段】乾燥器具として、乾燥させる対象物を封入する、内部に空間を有する籠状の本体（１０）と、前記本体（１０）の空間を、前記本体（１０）の一の表面から他の表面にかけて通る中空の管体であって、管体表面に複数の穴（２２）が形成される通気管（２０）とを設けることで、本体（１０）の内部の通気管（２０）近傍に封入される乾燥対象物近傍を外気に晒して乾燥しやすくする。【選択図】  図１
2009195604.tif 000002
【特許請求の範囲】
【請求項１】
乾燥させる対象物を封入する、内部に空間を有する籠状の本体と、
前記本体の空間を、前記本体の一の表面から他の表面にかけて通る中空の管体であって、管体表面に複数の穴が形成される通気管と
を有する乾燥器具。
【請求項２】
前記本体は、柔軟な素材により形成される請求項１に記載の乾燥器具。
【請求項３】
前記本体は、両開口部が円板体により封止された円筒体であって、前記通気管は両円板体の表面間を通るものである請求項１に記載の乾燥器具。
【請求項４】
前記通気管は、扁平な管体であって、前記本体内の空間を分割するものである請求項１に記載の乾燥器具。
【発明の詳細な説明】
【技術分野】
【０００１】
本発明は洗濯物等を乾燥させるために用いる器具に関する。
【背景技術】
【０００２】
一般に、靴下やハンカチなどを洗濯した後に乾燥させる場合、洗濯バサミなどを用いて、１つ１つ、吊下げて干すことが一般的であった。
【発明の開示】
【発明が解決しようとする課題】
【０００３】
このように、１つ１つの洗濯物を吊下げて干すのは大変手間がかかるという問題がある。また、女性の下着を干す場合、見られることを気にする人も多い。
これに対して、下着などを入れた洗濯かごごと干すことが考えられるが、この場合、洗濯かごの中心近傍の洗濯物は乾きにくいという問題が生じる。
本発明は、このような問題に鑑みて、手間無く干すことができ、外部からも見られにくいかご状の乾燥器具において、内側にある対象物を乾燥しやすくすることを課題とする。
【課題を解決するための手段】
【０００４】
上記課題を解決するために、本発明は次のような構成を有する。
請求項１に記載の発明は、乾燥させる対象物を封入する、内部に空間を有する籠状の本体と、前記本体の空間を、前記本体の一の表面から他の表面にかけて通る中空の管体であって、管体表面に複数の穴が形成される通気管とを有する乾燥器具である。
請求項２に記載の発明は、前記乾燥器具において、前記本体は、柔軟な素材により形成されるものである。
請求項３に記載の発明は、前記乾燥器具において、前記本体は、両開口部が円板体により封止された円筒体であって、前記通気管は両円板体の表面間を通るものである。
請求項４に記載の発明は、前記乾燥器具において、前記通気管は、扁平な管体であって、前記本体内の空間を分割するものである。
【発明の効果】
【０００５】
請求項１に記載の発明は、本体内部に複数の穴が設けられた通気管が通っているので、本体の内部の通気管近傍に封入される乾燥対象物近傍の湿度の高い空気は、通気管の穴を通って外部へ拡散し、結果として内側の乾燥対象物の乾燥を促進することができることとなる。
請求項２に記載の発明は、本体を柔軟素材により形成することにより、収納に際して小さく折りたたむことができ、また、乾燥させる対象物の形状や量に応じて、柔軟に本体の形状を変形させることができる。
請求項３に記載の発明は、円筒形とすることで、開口部を下にして床面などに載地することができるので、収納容器として利用することができる。
請求項４に記載の発明は、前記通気管を扁平な管体として、本体内の空間を分割するようにすることで、本体内部が分割されるので、複数の混ざり合わせたくない乾燥対象物を分けて封入することができ、また、通気管と本体内部に接する部分の面積が大きくできるので、本体内部の蒸気を拡散させやすい。
【発明を実施するための最良の形態】
【０００６】
以下、本発明の実施の形態について、図面を参照しながら説明する。
（実施形態１）
図１に実施形態１に係る乾燥器具Ｘの斜視図を示す。乾燥器具Ｘは、柔軟な合成樹脂製の紐により形成された網から形成される内部に空間を有する籠状の本体１０と、本体１０の中央を貫く、合成樹脂製の管体からなる通気管２０とから構成される。
通気管２０は、下部がラッパ状に広がっており、下部の外縁部に等間隔に複数の締結穴２１が空けられている。また、通管の表面には全体にほぼ均等に複数の貫通した空気穴２２が設けられている。
本体１０は、網を円筒状に形成するとともに、下端側の開口を構成する紐部分を通気管２０の連結穴２１に結び付けることで、下端側が封止される。また、本体１０の上端側の開口を構成する各紐の端部には、輪１１が形成されるとともに、締結紐１２が各輪１１内を通っり、端部が結ばれることで大きな輪を形成している。これにより、締結紐１２の一部をフックなどに引っ掛けて、本体１０を吊下げると、各輪１１同士が締結紐１２に沿って集まり、本体１０の上端が閉じられることとなる。なお、本体１０の上下方向の長さは、本体１０を上方に伸ばしたときに、輪１１部分が、通気管２０の上縁に一致する程度に設定されるので、上端が閉じられた状態で、通気管２０の上端は本体１０から突出することとなる。なお、締結紐１２の一部には、フックなどに引っ掛けたときにずれないように、係止リング１２ａが設けられている。
【０００７】
次に、以上のような構成を有する乾燥器具Ｘの使用方法について説明する。使用者は、まず、締結紐１２を緩めて、本体１０上部を開き、この開口から洗濯物などの乾燥対象物を本体内部に入れる。この状態で、締結紐１２の係止リング１２ａをフックなどに掛けると、本体１０の重みで下方に力が加わり、これにより各輪１１が締結紐１２に沿って移動して本体１０の上部が閉じられるとともに、本体１０が吊下げられた状態となる。これにより、本体１０内部の乾燥対象物は、網状の本体１０の外部と、空気穴２２を有する通気管２０内部との両方で外気と接触した状態となるので、本体１０外部近傍のみならず、本体１０内部に位置する乾燥対象物も比較的容易に乾燥させることができる。
また、本実施形態１にかかる乾燥器具Ｘは、本体１０が紐を網状に形成したものであるので、通気管２０に沿って畳むことで、収納時や運搬時に小さくすることができる。
【０００８】
（実施形態２）
図２に実施形態２に係る乾燥器具Ｙの一部分解斜視図を示し、図３に図２のＡ−Ａ端面図を示す。乾燥器具Ｙは、円筒状の本体３０と、本体３０の内部を通る通気管４０とから構成される。
通気管４０は、細長い円筒体であり本体３０とほぼ同じ長さを有し、後述する本体３０の蓋体３２に固定されている。通気管４０の外表面には複数の内部に連通する空気穴４１が設けられている。
本体３０は、一方側の開口が大きく形成された円筒体であって、小さい方の開口は固定された円板状の蓋体３２により封止される。他方の開口は着脱可能な円板状の蓋体３１により、封止と開放が自在にできるようになっている。具体的には、蓋体３１の外径は、蓋体３１が設けられる本体３０開口のやや内部に入った位置の内径とほぼ同じに形成されるとともに、本体３０の蓋体３１とほぼ内径が等しい位置の内面部に、蓋体３１を狭持する２条の係止突起３０ｂが４組み等間隔に設けられおり、この係止突起３０ｂに蓋体３１の外縁が嵌ることで、蓋体３１は本体３０の開口に係合でき、また、この係合を解除することで蓋体３１を取り外すことができる。また、蓋体３２の中央には、円形の穴が設けられるとともに、この穴部分に前述したように細長い円筒状の通気管４０がほぼ垂直に固定されている。さらに、蓋体３１の中央は通気管４０の外径とほぼ同じ大きさの穴３１ａが形成されおり、前述したように通気管４０の長さは本体３０の長さとほぼ同じに形成されているので、蓋体３１を固定すると、蓋体３１の穴３１ａから通気管４０がやや突出することとなり、通気管４０は、二つの蓋体３１から３２の表面間を繋ぐこととなる。そして、本体３０の外表面は、蓋体３１、３２を含めて複数の内部に連通する空気穴３０ａが設けられることで、本体３０は籠状に形成される。さらに、本体３０の側面の中心軸に沿った２点に、穴の空いた突起３０ｃ、３０ｃが設けられ、この突起３０ｃに中央に係止リング３０ｄａが設けられた引っ掛け紐３０ｄの両端が結びつけられている。
【０００９】
次に、以上のような構成を有する乾燥器具Ｙの使用方法について説明する。使用者は、まず、蓋体３１を取り外した本体３０内部に乾燥対象物を入れ、蓋体３１を取り付けることで、乾燥対象物を本体３０内部に封入する。この状態で、引っ掛け紐３０ｄの係止リング３０ｄａをフックなどに掛けて、本体３０を吊るす。これにより、内部の乾燥対象物は、本体３０の穴３０ａと、通気管４０の空気穴４１とにより外気に触れることになり、本体３０表面側の乾燥対象物のみならず、通気管４０近傍の乾燥対象物も比較的容易に乾燥させることができる。
また、乾燥器具Ｙは、蓋体３２を下にして床などに載地できるので、洗濯物入れとしても使用することができる。
【００１０】
（実施形態３）
図４に実施形態３に係る乾燥器具Ｚの斜視図を示し、図５に乾燥器具Ｚの一部分解斜視図を示す。乾燥器具Ｚは、直方体状の外形を有する本体５０と、通気管６０とから構成される。
本体５０は、２つのほぼ立方体状の前方が開口した箱体５１ａ、５１ｂ同士を、側面同士を対向させて、４つのスペーサー５３を間に挟んで連結した形状を有する。スペーサー５３は、立方体状のプラスチック片で箱体５１ａ及び５１ｂの側面の４角に接着固定される。箱体５１ａ、５１ｂの外表面には複数の内部に連通する空気穴５０ａが設けられ、これにより本体５０は籠状に形成される。また、箱体５１ａ、５１ｂの上面中央には、リングが固定されるとともに、各リングは中央に係止リング５０ｃａが設けられた吊下げ紐５０ｃの両端に結び付けられている。
一方の箱体５１ａには、本体５０全体の前面を封止する長方形状の蓋体５２が蝶番５２ａを介して回動自在に固定される。蓋体５２の長さは、蓋体５２を閉じた状態で、端部が本体５０の側縁部からやや突出する程度に設定される。この蓋体５２の端部中央には、蓋体５２に対して垂直に本体側に突出する係止片５２ｂが設けられている。係止片５２ｂは蓋体５２を閉じたときに、本体側に向う爪が形成されているとともに、箱体５１ｂの側面の当該爪部分に対応する位置にスリット状の係合穴５１ｂａが形成されることで、係止片５２ｂの爪が係合穴５１ｂａに係合するようになっている。これにより、蓋体５２を閉じた状態で固定することができる。また、蓋体５２を閉じた状態における箱体５１ａ、５１ｂ間のスペーサー５３により形成される隙間部分に対応する位置に、長方形状の通気管用穴５２ｃが設けられる。また、蓋体５２の表面には複数の空気穴５２ｄが設けられる。
通気管６０は、箱体５１ａ、５１ｂの間のスペーサー５３によりできる空間によって形成される。即ち通気管６０の側壁は、空気穴５０ａが設けられた箱体５１ａ、５１ｂの側壁により形成される。通気管６０は、扁平な長方形状の断面を有する管体であり、本体５０の前後を貫く通気管６０ａと本体５０の上下を貫く通気管６０ｂとにより構成される。この通気管６０を介して本体５０の内部空間は２つに分割されることとなる。
【００１１】
次に、以上のような構成を有する乾燥器具Ｚの使用方法について説明する。使用者は、まず、蓋体５２を開けて本体５０内部に乾燥対象物を入れ、蓋体５２を閉め、乾燥対象物を本体５０内部に封入する。この際、本体５０の内部空間は２つあるので、適宜乾燥対象物を分別して入れることができる。この状態で、引っ掛け紐５０ｃの係止リング５０ｃａをフックなどに掛けて、本体５０を吊るす。これにより、内部の乾燥対象物は、本体５０、及び通気管６０内の空気穴５０ａにより外気に触れることになり、本体５０表面側の乾燥対象物のみならず、通気管６０近傍の乾燥対象物も比較的容易に乾燥させることができる。
【図面の簡単な説明】
【００１２】
【図１】実施形態１に係る乾燥器具の斜視図である。
【図２】実施形態２に係る乾燥器具の一部分解斜視図である。
【図３】図２のＡ−Ａ断面図である。
【図４】実施形態３に係る乾燥器具の斜視図である。
【図５】実施形態３に係る乾燥器具の一部分解斜視図である。
【符号の説明】
【００１３】
Ｘ、Ｙ、Ｚ    乾燥器具
１０、３０、５０  本体
２０、４０、６０  通気管
２２、３０ａ、５０ａ、４１  空気穴
３１、５２  蓋体
【図１】
2009195604.tif 000003
【図２】
2009195604.tif 000004
【図３】
2009195604.tif 000005
【図４】
2009195604.tif 000006
【図５】
2009195604.tif 000007